(57)【要約】  限られた筐体サイズの範囲内で、熱交換器の容量を更に拡大し、かつ、熱交換器に通風する風量を最大限に増大する熱交換器ユニットの配置構造が構成できる空気調和装置の室外機を提供する。空気調和装置の室外機は、前面部と、前面部の側方の左面部および左面部に対向する右面部と、前面部に対向する背面部と、を有して平面視において矩形形状の筐体と、筐体内部に、筐体の前面部側、左面部側、右面部側、背面部側にそれぞれ側面を有して平面視において複数の矩形形状で形成された熱交換器と、複数の矩形形状の熱交換器内に形成された複数の吸い込み空間の上方にそれぞれ配置された複数の送風ファンと、を備えた。
2017199339.tif 000002
【特許請求の範囲】
【請求項１】
前面部と、該前面部の側方の左面部および該左面部に対向する右面部と、前記前面部に対向する背面部と、を有して平面視において矩形形状の筐体と、
前記筐体内部に、前記筐体の前面部側、左面部側、右面部側、背面部側にそれぞれ側面を有して平面視において複数の矩形形状で形成された熱交換器と、
複数の矩形形状の前記熱交換器内に形成された複数の吸い込み空間の上方にそれぞれ配置された複数の送風ファンと、
を備えた空気調和装置の室外機。
【請求項２】
前記熱交換器は、複数の熱交換器ユニットから構成され、
前記複数の熱交換器ユニットは、同じ容積である請求項１に記載の空気調和装置の室外機。
【請求項３】
前記熱交換器は、平面視において前記筐体の左右方向に並列に２つ配置され、前記筐体の左右方向の中央部における側面の幅が他の側面の幅よりも短い請求項１または２に記載の空気調和装置の室外機。
【請求項４】
前記複数の熱交換器ユニットは、平面視において前記筐体の前記前面部に沿って平板形状に形成された１つの前面熱交換器ユニットと、平面視において前記筐体の左右方向に配置された前記熱交換器における左面部側、右面部側および背面部側の側面を屈曲して形成する２つの背面熱交換器ユニットと、を有する請求項３に記載の空気調和装置の室外機。
【請求項５】
前記２つの背面熱交換器ユニットは、前記筐体の前記左面部と前記右面部との間の中央における中央線に対して線対称な形状である請求項４に記載の空気調和装置の室外機。
【請求項６】
前記前面熱交換器ユニットは、前記筐体の前面部側において左右方向の一方側に寄せて配置され、
前記筐体の前面部側において左右方向の他方側に、前記前面熱交換器ユニットが冷媒回路の配管と接続される配管接続エリアが形成された請求項４または５に記載の空気調和装置の室外機。
【請求項７】
前記前面熱交換器ユニットの配管接続エリアに隣接した前記筐体の左面部側または右面部側の一方に、前記２つの背面熱交換器ユニットうち一方が冷媒回路の配管と接続される配管接続エリアが形成され、
前記筐体の左右方向の中央部に、前記２つの背面熱交換器ユニットのうち他方が冷媒回路の配管と接続される配管接続エリアが形成された請求項６に記載の空気調和装置の室外機。
【請求項８】
前記複数の熱交換器ユニットは、平面視において前記筐体の左右方向に並列に配置され、前記熱交換器における前面部側、左面部側、右面部側および背面部側の側面を屈曲して形成する２つの個別熱交換器ユニットを有する請求項３に記載の空気調和装置の室外機。
【請求項９】
前記２つの個別熱交換器ユニットは、前記筐体の前記左面部と前記右面部との間の中央における中央線に対して線対称な形状である請求項８に記載の空気調和装置の室外機。
【請求項１０】
前記筐体の前記左面部と前記右面部との間の中央に、前記２つの個別熱交換器ユニットが冷媒回路の配管と接続される配管接続エリアが形成された請求項８または９に記載の空気調和装置の室外機。
【請求項１１】
前記筐体の少なくとも前記前面部の下部に、機械部品をメンテナンスするメンテナンススペースが形成された請求項１〜１０のいずれか１項に記載の空気調和装置の室外機。
【発明の詳細な説明】
【技術分野】
【０００１】
本発明は、筐体の内部に複数の熱交換器ユニットから構成される熱交換器を備えると共に、筐体の上部に複数の送風ファンを備える空気調和装置の室外機に関する。
【背景技術】
【０００２】
近年、ビルあるいは商業施設などに設置されている空気調和装置の室外機は、消費電力の削減を図る観点から、消費電力の削減性能の向上が求められている。
また、冷房能力および暖房能力の向上を図るために、空気調和装置の室外機の熱交換器を大容量化する要求が高まっている。【０００３】
そのため、空気調和装置の室外機では、消費電力の削減性能を向上する要求を満たしつつ、限られた筐体サイズの範囲内で熱交換器の容量を更に拡大し、かつ、熱交換器に通風する風量を最大限に増大する必要がある。【０００４】
従来の空気調和装置の室外機では、背面部側と左面部側と右面部側とに熱交換器が配置されている。また、室外機の筐体の上部に送風ファンが配置されている。送風ファンが駆動されることで、送風ファンの下方の筐体内部に負圧が生じる。この負圧によって室外機の周囲の空気は、筐体内部に吸い込まれる。そして、筐体内部に吸い込まれた空気と熱交換器内の冷媒との間で熱交換が行われている。【０００５】
熱交換器は、伝熱管が間隔を空けて積み重なったフィンを直交方向に貫通する構成である。伝熱管は、たとえば、円管であり、冷媒が円管内部を移動することでフィンが円管から伝達される熱を放熱している。ここで、伝熱管が円管である場合を示したが、伝熱管は、たとえば、扁平状の扁平管でもよい。【０００６】
以上のような従来の空気調和装置の室外機としては、たとえば、筐体の下部が機械室であり、筐体の上部が熱交換器室であり、平面視において矩形形状の筐体の側面である４面に熱交換器が配置されている構造が知られている（たとえば、特許文献１〜３参照）。
特許文献１〜３に記載の技術では、筐体の熱交換器室よりも上部に送風ファンが配置され、熱交換器へ通風する風量が最大限確保できる構造である。また、筐体の上部に配置した送風ファンの個数は、複数である場合もある。【０００７】
特許文献１に記載の技術では、筐体の前面部あるいは背面部と左面部あるいは右面部の一方とを有するＬ字型の２枚の熱交換器ユニットが前後に配置され、平面視において矩形形状の筐体の側面である４面に熱交換器が配置されている構造が開示されている。【０００８】
特許文献２に記載の技術では、筐体の背面部と左面部と右面部とを有するＵ字型の熱交換器ユニットが背面部側に配置され、平板形状の熱交換器ユニットが前面部に配置され、平面視において矩形形状の筐体の側面である４面に熱交換器が配置されている構造が開示されている。ただし、背面部側に配置されたＵ字型の熱交換器ユニットは、室外機の底部に配置された板金部まで延びた構造である。【０００９】
特許文献３に記載の技術では、筐体の前面部と背面部と左面部または右面部の一方を有するＵ字型の熱交換器ユニットが左右にそれぞれ配置され、平面視において矩形形状の筐体の側面である４面に熱交換器が配置されている構造が開示されている。
【先行技術文献】
【特許文献】
【００１０】
【特許文献１】特開２００３−２４０２７６号公報
【特許文献２】特開２００３−２５４５６５号公報
【特許文献３】特開２００３−２３２５４１号公報
【発明の概要】
【発明が解決しようとする課題】
【００１１】
特許文献１〜３に記載の技術での熱交換器ユニットの配置構造は、いずれも、送風ファン外周の前面部、左面部、右面部および背面部の４方向から吸い込みができる。このため、空気調和装置の室外機内での偏流が少なく、送風ファンの騒音の低減あるいは送風ファンの入力電力の低減に寄与している。【００１２】
しかしながら、熱交換器は、平面視において矩形形状の筐体の前面部、左面部、右面部および背面部の側面に配置された構造である。このため、熱交換器の容量を更に拡大し、かつ、熱交換器に通風する風量を最大限に増大する熱交換器ユニットの配置構造としては、筐体の幅および奥行き寸法の制約を受け易い。【００１３】
本発明は、上記課題を解決するためのものであり、限られた筐体サイズの範囲内で、熱交換器の容量を更に拡大し、かつ、熱交換器に通風する風量を最大限に増大する熱交換器ユニットの配置構造が構成できる空気調和装置の室外機を提供することを目的とする。
【課題を解決するための手段】
【００１４】
本発明に係る空気調和装置の室外機は、前面部と、該前面部の側方の左面部および該左面部に対向する右面部と、前記前面部に対向する背面部と、を有して平面視において矩形形状の筐体と、前記筐体内部に、前記筐体の前面部側、左面部側、右面部側、背面部側にそれぞれ側面を有して平面視において複数の矩形形状で形成された熱交換器と、複数の矩形形状の前記熱交換器内に形成された複数の吸い込み空間の上方にそれぞれ配置された複数の送風ファンと、を備えたものである。
【発明の効果】
【００１５】
本発明に係る空気調和装置の室外機によれば、筐体内部に、筐体の前面部側、左面部側、右面部側、背面部側にそれぞれ側面を有して平面視において複数の矩形形状で形成された熱交換器を備えた。したがって、限られた筐体サイズの範囲内で、熱交換器の容量を更に拡大し、かつ、熱交換器に通風する風量を最大限に増大する熱交換器ユニットの配置構造が構成できる。
【図面の簡単な説明】
【００１６】
【図１】本発明の実施の形態１に係る空気調和装置の室外機を示す斜視図である。
【図２】本発明の実施の形態１に係る空気調和装置の室外機の内部構成を示す斜視図である。
【図３】本発明の実施の形態１に係る空気調和装置の室外機における１つの前面熱交換器ユニットおよび２つの背面熱交換器ユニットの配置構造を示す斜視図である。
【図４】本発明の実施の形態１に係る空気調和装置の室外機における１つの前面熱交換器ユニットおよび２つの背面熱交換器ユニットの配置構造を示す上面図である。
【図５】本発明の実施の形態１に係る空気調和装置の室外機における前面に配置された前面熱交換器ユニットを示す斜視図である。
【図６】本発明の実施の形態１に係る空気調和装置の室外機における背面に配置された背面熱交換器ユニットを示す斜視図である。
【図７】本発明の実施の形態２に係る空気調和装置の室外機における２つの個別熱交換器ユニットの配置構造を示す上面図である。
【発明を実施するための形態】
【００１７】
以下、本発明の空気調和機の室外機の実施の形態について、図面を参照して説明する。なお、図面の形態は一例であり、本発明を限定するものではない。また、各図において同一の符号を付したものは、同一のまたはこれに相当するものであり、これは明細書の全文において共通している。さらに、以下の図面では、各構成部材の大きさの関係が実際のものとは異なる場合がある。
【００１８】
実施の形態１．
［空気調和機の室外機の構成］
図１は、本発明の実施の形態１に係る空気調和装置の室外機１を示す斜視図である。
図１に示すように、室外機１は、外部表面側に筐体１１を備えている。筐体１１は、正面を向いた前面部と、前面部の側方の左面部と、前面部の側方かつ左面部に対向する右面部と、前面部に対向する背面部と、を有し、平面視において矩形形状である。
筐体１１の角部には、前面から見て、左側手前に左前面柱２１が設けられている。筐体１１の角部には、前面から見て、左前面柱２１の背部側に左後面柱２３が設けられている。筐体１１の角部には、前面から見て、右側手前に右前面柱２２が設けられている。筐体１１の角部には、前面から見て、右前面柱２２の背部側に図示しない右後面柱が設けられている。また、筐体１１の前面中央には、前面中央柱２４が設けられている。筐体１１の背面中央には、図示しない背面中央柱が設けられている。
【００１９】
左前面柱２１および右前面柱２２の上端部には、前フレーム２５ａが架け渡されている。左前面柱２１および左後面柱２３の上端部には、左フレーム２６ａが架け渡されている。右前面柱２２および右後面柱の上端部には、図示しない右フレームが架け渡されている。左後面柱２３および右後面柱の上端部には、図示しない後フレームが架け渡されている。
【００２０】
筐体１１の前面の下部には、下前面パネル２７ａ、２７ｂが設けられている。下前面パネル２７ａ、２７ｂは、取り外しまたは開閉することができる。下前面パネル２７ａ、２７ｂは、作業者が筐体１１の内部のメンテナンスなどを行う際に取り外しまたは開閉される。
筐体１１の左面の下部には、下左面パネル２８ａが設けられている。筐体１１の右面の下部には、図示しない下右面パネルが設けられている。筐体１１の背面の下部には、図示しない下後面パネルが設けられている。下左面パネル２８ａ、下右面パネル、下後面パネルも、下前面パネル２７ａ、２７ｂと同様に取り外しまたは開閉できるものでもよい。このような場合には、下左面パネル２８ａ、下右面パネル、下後面パネルは、作業者が筐体１１の内部のメンテナンスなどを行うに際に取り外しまたは開閉できる。
【００２１】
筐体１１は、平面視において矩形形状を構成する前面部、左面部、右面部および背面部のそれぞれの側面に、筐体１１の内部に空気を吸い込む空気吸込口３２ａ、３２ｂを設けている。筐体１１の前面部側の空気吸込口３２ａは、左前面柱２１、右前面柱２２、前フレーム２５ａおよび下前面パネル２７ａ、２７ｂに囲まれて形成されている。筐体１１の左面部側の空気吸込口３２ｂは、左前面柱２１、左後面柱２３、左フレーム２６ａおよび下左面パネル２８ａに囲まれて形成されている。同様に、筐体１１の右面部側および背面部側にも、図示しない空気吸込口が形成されている。
【００２２】
筐体１１の上部には、２つの上面パネル２９ａ、２９ｂが設けられている。上面パネル２９ａには、空気を吹き出すための開口部である空気吹出口３３ａが形成されている。上面パネル２９ｂには、空気を吹き出すための開口部である空気吹出口３３ｂが形成されている。また、筐体１１の上部には、２つの送風ファン３４ａ、３４ｂが設けられている。２つの送風ファン３４ａ、３４ｂは、筐体１１の上部に並列に配置されている。送風ファン３４ａは、空気吹出口３３ａの下方に配置されている。送風ファン３４ｂは、空気吹出口３３ｂの下方に配置されている。
２つの送風ファン３４ａ、３４ｂが駆動されることで、筐体１１の内部に負圧が生じ、筐体１１の前面部、左面部、右面部および背面部に設けられた４面の空気吸込口３２ａ、３２ｂから空気が吸い込まれる。そして、筐体１１の内部に吸い込まれた空気は、２つの送風ファン３４ａ、３４ｂによって、２つの空気吹出口３３ａ、３３ｂから吹き出される。
【００２３】
なお、実施の形態１において、空気調和装置の室外機１の筐体１１について上記のように例示したが、本発明はこれに限定されない。筐体１１に他の部材を追加するなど構成要件を適宜変更してもよい。
【００２４】
図２は、本発明の実施の形態１に係る空気調和装置の室外機１の内部構成を示す斜視図である。
図２に示すように、室外機１は、２つの送風ファン３４ａ、３４ｂのそれぞれの下方に形成される吸い込み空間３５ａ、３５ｂを囲んでいる熱交換器５０を備えている。言い換えると、２つの送風ファン３４ａ、３４ｂは、２つの矩形形状の熱交換器５０内に形成された２つの吸い込み空間３５ａ、３５ｂの上方にそれぞれ配置されている。
熱交換器５０は、１つの前面熱交換器ユニット５１および２つの背面熱交換器ユニット５２ａ、５２ｂから構成されている。
熱交換器５０は、筐体１１の内部に、筐体１１の前面部側、左面部側、右面部側、背面部側にそれぞれ側面を有して平面視において２つの矩形形状に配置されている。２つの矩形形状に配置された熱交換器５０は、２つの吸い込み空間３５ａ、３５ｂを囲んでいる。
１つの前面熱交換器ユニット５１は、平面視において筐体１１の前面部に沿って平板形状に形成されている。すなわち、前面熱交換器ユニット５１は、両方の吸い込み空間３５ａ、３５ｂの前面部側の側面にわたって連続した平板形状である。
背面熱交換器ユニット５２ａは、平面視において筐体１１の左右方向に配置された熱交換器５０における左面部側の側面５２ａ１、右面部側の側面５２ａ３および背面部側の側面５２ａ２を屈曲してＵ字型に形成している。また、背面熱交換器ユニット５２ｂは、平面視において筐体１１の左右方向に配置された熱交換器５０における左面部側の側面５２ｂ１、右面部側の側面５２ｂ３および背面部側の側面５２ｂ２を屈曲してＵ字型に形成されている。
このように、吸い込み空間３５ａ、３５ｂは、２つの送風ファン３４ａ、３４ｂのそれぞれの下方にて、熱交換器５０に囲まれて平面視において矩形形状に形成されている。
【００２５】
また、１つの前面熱交換器ユニット５１および２つの背面熱交換器ユニット５２ａ、５２ｂの下部には、室外機１内に冷媒を循環させる機能あるいは制御のための圧縮機３６、電気品箱３７およびパイプ３８などの機械部品が格納されている。
ここで、圧縮機３６および電気品箱３７のメンテナンス性あるいは組立性を考えて、取付けあるいは取外し易くするため、前面熱交換器ユニット５１は、圧縮機３６および電気品箱３７よりも上方に配置されている。このため、筐体１１の少なくとも前面下部に、熱交換器５０を配置していない空間部となった機械部品をメンテナンスするメンテナンススペースが形成されている。
また、背面熱交換器ユニット５２ａ、５２ｂは、前面熱交換器ユニット５１と上下寸法が同じであり、配置高さも一緒であるため、前面熱交換器ユニット５１と同様に、圧縮機３６および電気品箱３７よりも上方に配置されている。
【００２６】
図３は、本発明の実施の形態１に係る空気調和装置の室外機１における１つの前面熱交換器ユニット５１および２つの背面熱交換器ユニット５２ａ、５２ｂの配置構造を示す斜視図である。
図３に示すように、吸い込み空間３５ａ、３５ｂは、１つの前面熱交換器ユニット５１および２つの背面熱交換器ユニット５２ａ、５２ｂに囲まれて平面視において矩形形状に形成されている。
吸い込み空間３５ａ、３５ｂの前面部側には、平板形状の前面熱交換器ユニット５１が配置されている。
吸い込み空間３５ａの左面部側、右面部側および背面部側には、Ｕ字型の背面熱交換器ユニット５２ａが配置されている。背面熱交換器ユニット５２ａは、左面部側および右面部側の側面５２ａ１、５２ａ３および背面部側の側面５２ａ２を屈曲して有している。
吸い込み空間３５ｂの左面部側、右面部側および背面部側には、Ｕ字型の背面熱交換器ユニット５２ｂが配置されている。背面熱交換器ユニット５２ｂは、左面部側および右面部側の側面５２ｂ１、５２ｂ３および背面部側の側面５２ｂ２を屈曲して有している。
２つの背面熱交換器ユニット５２ａ、５２ｂは、筐体１１の左面部と右面部との間の中央における中央線６０に対して線対称な形状である。
【００２７】
前面熱交換器ユニット５１は、平板形状である。このため、メンテナンス時などの空気調和装置の室外機１の前面を開放したい場合に、前面熱交換器ユニット５１が取付けあるいは取外し易い形状になっている。
前面熱交換器ユニット５１は、筐体１１の前面部側において右に寄せて配置されている。このため、筐体１１の前面部側において前面熱交換器ユニット５１が寄せられた側とは反対側に、前面熱交換器ユニット５１と背面熱交換器ユニット５２ａとの間に縦方向に延びる開放空間が形成されている。
【００２８】
図４は、本発明の実施の形態１に係る空気調和装置の室外機１における１つの前面熱交換器ユニット５１および２つの背面熱交換器ユニット５２ａ、５２ｂの配置構造を示す上面図である。
図４に示すように、上から見たファン外周軌跡３９ａ、３９ｂのそれぞれに沿うように、平面視において矩形形状に前面熱交換器ユニット５１と背面熱交換器ユニット５２ａ、５２ｂが配置されている。言い換えると、吸い込み空間３５ａ、３５ｂは、上から見たファン外周軌跡３９ａ、３９ｂのそれぞれに沿うように、平面視において矩形形状に形成されている。
【００２９】
２つの送風ファン３４ａ、３４ｂのそれぞれの下方に形成される吸い込み空間３５ａ、３５ｂの側面を囲んだ熱交換器５０のうち背面熱交換器ユニット５２ａ、５２ｂは、筐体１１の左右方向の中央部における側面５２ａ３、５２ｂ３の幅が、他の側面５２ａ１、５２ａ２、５２ｂ１、５２ｂ２の幅よりも短い。背面熱交換器ユニット５２ａ、５２ｂの中央部の側面５２ａ３、５２ｂ３の幅は、熱交換器５０への通風量を最大限確保したいときに前面に延ばす寸法として有効な長さである。背面熱交換器ユニット５２ａ、５２ｂの中央部の側面５２ａ３、５２ｂ３の幅は、２つの背面熱交換器ユニット５２ａ、５２ｂにおいて同じ長さである。背面熱交換器ユニット５２ａ、５２ｂの中央部の側面５２ａ３、５２ｂ３の幅は、筐体１１の奥行寸法の中央線６１に至る長さであるとよい。
【００３０】
筐体１１の前面部側において前面熱交換器ユニット５１が寄せられた右側とは反対側に、前面熱交換器ユニット５１が冷媒回路の配管と接続される配管接続エリア７０ａが形成されている。
また、前面熱交換器ユニット５１の配管接続エリア７０ａに隣接した筐体１１の左面部側に、２つの背面熱交換器ユニット５２ａ、５２ｂのうち一方の背面熱交換器ユニット５２ａが冷媒回路の配管と接続される配管接続エリア７０ｂが形成されている。
配管接続エリア７０ａおよび配管接続エリア７０ｂは、隣接して前面熱交換器ユニット５１および背面熱交換器ユニット５２ａの配管接続エリア７０を構成している。配管接続エリア７０は、メンテナンス性および組立性を考慮し、左前の開放空間に配置されている。
なお、配管接続エリア７０は、前面熱交換器ユニット５１を左に寄せて右前に配置されてもよい。この場合には、開放空間に形成される配管接続エリアは、前面熱交換器ユニット５１および背面熱交換器ユニット５２ａの配管接続エリアを構成する。
【００３１】
筐体１１の左右方向の中央部に、２つの背面熱交換器ユニット５２ａ、５２ｂのうち他方の背面熱交換器ユニット５２ｂが冷媒回路の配管と接続される配管接続エリア７１が形成されている。背面熱交換器ユニット５２ｂの配管接続エリア７１は、中央部に配置され、筐体１１の奥行寸法の中央線６１より前方に配置され、筐体１１の前面下部から配管をメンテナンスおよび組立ができる。背面熱交換器ユニット５２ｂの配管接続エリア７１は、電気品箱３７が邪魔であることと圧縮機３６から延びる配管が長くなるため、筐体１１の右側面には設けられていない。
なお、配管接続エリア７１の位置は、配管のメンテナンスおよび組立ができれば、筐体１１の奥行寸法の中央線６１より後方でもよい。
【００３２】
図５は、本発明の実施の形態１に係る空気調和装置の室外機１における前面に配置された前面熱交換器ユニット５１を示す斜視図である。図６は、本発明の実施の形態１に係る空気調和装置の室外機１における背面に配置された背面熱交換器ユニット５２ｂを示す斜視図である。
１つの前面熱交換器ユニット５１および２つの背面熱交換器ユニット５２ａ、５２ｂは、同じ構成である。すなわち、２つの背面熱交換器ユニット５２ａ、５２ｂは、平板形状の前面熱交換器ユニット５１を２箇所屈曲させて形成されている。このため、前面熱交換器ユニット５１の幅寸法５３は、２つの背面熱交換器ユニット５２ａ、５２ｂそれぞれにおける屈曲した側面５２ａ１、５２ａ２、５２ａ３または側面５２ｂ１、５２ｂ２、５２ｂ３を足した周囲長寸法５４と等しい。前面熱交換器ユニット５１の上下寸法５５は、２つの背面熱交換器ユニット５２ａ、５２ｂそれぞれにおける上下寸法５６と等しい。また、前面熱交換器ユニット５１と、２つの背面熱交換器ユニット５２ａ、５２ｂとは、厚み寸法あるいはフィンの形状、枚数、伝熱管の形状、本数なども同じである。
このように、１つの前面熱交換器ユニット５１および２つの背面熱交換器ユニット５２ａ、５２ｂは、同じ構成の熱交換器ユニットを用いている。このため、同じ製造工程を経て製造でき、生産性が向上する。また、１つの前面熱交換器ユニット５１および２つの背面熱交換器ユニット５２ａ、５２ｂは、容積が同じである。このため、冷媒を循環させる量が均一に保たれ、冷媒の偏流を考慮することなく、冷媒回路を構築できる。
【００３３】
［効果］
以上、実施の形態１によれば、筐体１１の平面視において矩形形状の前面部、左面部、右面部および背面部の４面を熱交換器５０で覆う配置とし、かつ、背面熱交換器ユニット５２ａ、５２ｂが筐体１１の左面部と右面部との間の中央部に側面５２ａ３、５２ｂ３を有している。このため、熱交換器５０の通風する側面が平面視において矩形形状の２つの吸い込み空間３５ａ、３５ｂの４面の側面に形成されるため、熱交換器５０の容量が最大限確保できる。
これに対し、特許文献１の技術では、Ｌ字型の２枚の熱交換器ユニットが筐体の側面に沿うように配置され、筐体の幅および奥行き寸法の制約を受ける熱交換器ユニットの配置構造である。そのため、熱交換器の容量が最大限確保できない。
【００３４】
また、実施の形態１によれば、２つの送風ファン３４ａ、３４ｂのファン外周軌跡３９ａ、３９ｂに沿うように平面視において矩形形状の２つの吸い込み空間３５ａ、３５ｂの４面の側面に熱交換器５０が配置されるため、熱交換器５０に通風する風量が最大限増大できる。
【００３５】
すなわち、実施の形態１によれば、空気調和装置の室外機１は、前面部と、前面部の側方の左面部および左面部に対向する右面部と、前面部に対向する背面部と、を有して平面視において矩形形状の筐体１１を備えている。空気調和装置の室外機１は、筐体１１の内部に、筐体１１の前面部側、左面部側、右面部側、背面部側にそれぞれ側面を有して平面視において２つの矩形形状で形成された熱交換器５０を備えている。空気調和装置の室外機１は、２つの矩形形状の熱交換器５０内に形成された２つの吸い込み空間３５ａ、３５ｂの上方にそれぞれ配置された２つの送風ファン３４ａ、３４ｂを備えている。
この構成によれば、限られた筐体サイズの範囲内で、熱交換器５０の容量を更に拡大し、かつ、熱交換器５０に通風する風量を最大限に増大する熱交換器ユニット５１、５２ａ、５２ｂの配置構造が構成できる。
【００３６】
さらに、実施の形態１によれば、熱交換器５０は、１つの前面熱交換器ユニット５１および２つの背面熱交換器ユニット５２ａ、５２ｂから構成されている。１つの前面熱交換器ユニット５１および２つの背面熱交換器ユニット５２ａ、５２ｂは、同じ容積である。
この構成によれば、同じ容積の熱交換器ユニットを用いたため、熱交換器５０内を流れる冷媒の偏流が無くなり、冷媒が熱交換器５０へ効率良く分配でき、冷媒回路を簡素な回路に構築できる。このため、製品コストが削減できる。また、同じ熱交換器ユニットが同じ製造工程を経て製造でき、生産性が向上できる。
これに対し、特許文献２の技術では、Ｕ字型の１枚の熱交換器ユニットと平板形状の１枚の熱交換器ユニットとが組み合わされた構成であり、２枚の熱交換器ユニットの容量が異なっている。このため、Ｕ字型の熱交換器ユニットに流す冷媒量と平板形状の熱交換器ユニットに流す冷媒量とのバランスをうまく取らないと効果的な性能が得られない難しさがある。リニア膨張弁をそれぞれの熱交換器ユニットに追加するなど、製品コストが圧迫されるような構造が必要になる場合がある。そのため、製品コストが削減できない。
【００３７】
実施の形態１によれば、熱交換器５０は、平面視において筐体１１の左右方向に並列に２つ配置されている。熱交換器５０は、筐体１１の左右方向の中央部における側面５２ａ３、５２ｂ３の幅が他の側面５２ａ１、５２ａ２、５２ｂ１、５２ｂ２の幅よりも短い。
この構成によれば、熱交換器５０の左右方向の中央部の側面５２ａ３、５２ｂ３でも熱交換器５０への通風する風量が最大限確保できる。熱交換器５０の左右方向の中央部の側面５２ａ３、５２ｂ３の幅が他の側面の幅よりも短いことで、通風されないエリアまで熱交換器５０を余計に設けてしまい性能に寄与しない製品コストが増加することが抑制できる。また、熱交換器５０の左右方向の中央部の側面５２ａ３、５２ｂ３の前方に、配管接続エリア７１が形成でき、メンテナンス性および組立性が向上できる。
【００３８】
実施の形態１によれば、熱交換器ユニットとしては、平面視において筐体１１の前面部に沿って平板形状に形成された１つの前面熱交換器ユニット５１を有している。熱交換器ユニットとしては、平面視において筐体１１の左右方向に配置された熱交換器５０における左面部側、右面部側および背面部側の側面５２ａ１、５２ａ２、５２ａ３、５２ｂ１、５２ｂ２、５２ｂ３を屈曲して形成する２つの背面熱交換器ユニット５２ａ、５２ｂを有している。
この構成によれば、熱交換器５０は、筐体１１の内部に、筐体１１の前面部側、左面部側、右面部側、背面部側にそれぞれ側面を有して平面視において２つの矩形形状で形成できる。
【００３９】
実施の形態１によれば、２つの背面熱交換器ユニット５２ａ、５２ｂは、筐体１１の左面部と右面部との間の中央における中央線６０に対して線対称な形状である。
この構成によれば、２つの送風ファン３４ａ、３４ｂの空気の吸い込み量は同じになり、熱交換器５０への通風する風量が偏らず、左右のバランスがとれる。
【００４０】
実施の形態１によれば、前面熱交換器ユニット５１は、筐体１１の前面側において右に寄せて配置されている。筐体１１の前面側において前面熱交換器ユニット５１が寄せられた側とは反対側の左に、前面熱交換器ユニット５１が冷媒回路の配管と接続される配管接続エリア７０ａが形成されている。
この構成によれば、前面熱交換器ユニット５１の配管接続エリア７０ａが機械部品に干渉しない手前に配置でき、作業者が作業し易く、メンテナンス性および組立性が向上できる。
【００４１】
実施の形態１によれば、前面熱交換器ユニット５１の配管接続エリア７０ａに隣接した筐体１１の左面部側に、２つの背面熱交換器ユニット５２ａ、５２ｂうち一方の背面熱交換器ユニット５２ａが冷媒回路の配管と接続される配管接続エリア７０ｂが形成されている。筐体１１の左右方向の中央部に、２つの背面熱交換器ユニット５２ａ、５２ｂのうち他方の背面熱交換器ユニット５２ｂが冷媒回路の配管と接続される配管接続エリア７１が形成されている。
この構成によれば、一方の背面熱交換器ユニット５２ａの配管接続エリア７０ｂが機械部品に干渉しない手前に配置でき、作業者が作業し易く、メンテナンス性および組立性が向上できる。加えて、一方の背面熱交換器ユニット５２ａの配管接続エリア７０ｂは、前面熱交換器ユニット５１の配管接続エリア７０ａと隣接して大きな配管接続エリア７０を構成でき、作業者が作業し易く、メンテナンス性および組立性が向上できる。また、他方の背面熱交換器ユニット５２ｂの配管接続エリア７１が筐体１１の左右方向の中央部のエリアに単独で配置でき、作業者の作業スペースが確保でき、作業者が作業し易く、メンテナンス性および組立性が向上できる。
【００４２】
実施の形態１によれば、筐体１１の少なくとも前面下部に、機械部品をメンテナンスするメンテナンススペースが形成されている。
すなわち、前面熱交換器ユニット５１の下端は、圧縮機３６および電気品箱３７などの機械部品よりも上部に配置されてメンテナンススペースが形成されているため、圧縮機３６および電気品箱３７などの機械部品のメンテナンス性および組立性が阻害されない構造である。このため、熱交換器５０の前面下部に、メンテナンススペースが最大限確保できる。
この構成によれば、機械部品をメンテナンスするスペースが熱交換器５０を配置していないスペースに形成され、作業者の作業スペースが確保でき、作業者が作業し易く、メンテナンス性および組立性が向上できる。
これに対し、特許文献３の技術では、空気調和装置の室外機の前面中央部に配管エリアが集中し、前面に機械部品をメンテナンスするスペースを十分に取る余裕がない。そのため、メンテナンス性および組立性が阻害されてしまう。
【００４３】
実施の形態２．
実施の形態２における空気調和装置の室外機１の基本的な構成は、実施の形態１における空気調和装置の室外機１と同様である。このため、以下、実施の形態１との相違点を中心に実施の形態２について説明する。
実施の形態１と実施の形態２との相違点は、空気調和装置の室外機１における複数の熱交換器ユニットの配置構成である。実施の形態１では、３つ熱交換器ユニット５１、５２ａ、５２ｂを配置した構成であった。これに対し、実施の形態２では、２つの熱交換器ユニット５７ａ、５７ｂを配置した構成である。
【００４４】
［空気調和装置の室外機の構成］
図７は、本発明の実施の形態２に係る空気調和装置の室外機１における２つの個別熱交換器ユニット５７ａ、５７ｂの配置構造を示す上面図である。
熱交換器５０は、２つの個別熱交換器ユニット５７ａ、５７ｂを有している。
個別熱交換器ユニット５７ａは、平面視において筐体１１の左右方向に並列に配置され、熱交換器５０における前面部側、左面部側、右面部側および背面部側の側面を屈曲して形成する。個別熱交換器ユニット５７ａは、前面部側の側面５７ａ１、左面部側の側面５７ａ２、右面部側の側面５７ａ４および背面部側の側面５７ａ３を有している。
個別熱交換器ユニット５７ｂは、平面視において筐体１１の左右方向に並列に配置され、熱交換器５０における前面部側、左面部側、右面部側および背面部側の側面を屈曲して形成する。個別熱交換器ユニット５７ｂは、前面部側の側面５７ｂ１、左面部側の側面５７ｂ２、右面部側の側面５７ｂ４および背面部側の側面５７ｂ３を有している。
２つの個別熱交換器ユニット５７ａ、５７ｂは、筐体１１の左面部と右面部との間の中央における中央線６０に対して線対称な形状である。２つの個別熱交換器ユニット５７ａ、５７ｂは、同じ容積である。
【００４５】
筐体１１の左右方向の中央部に、２つの個別熱交換器ユニット５７ａ、５７ｂが冷媒回路の配管と接続される配管接続エリア７２、７３が形成されている。２つの個別熱交換器ユニット５７ａ、５７ｂの配管接続エリア７２、７３は、筐体１１の奥行寸法の中央線６１より前方に配置され、メンテナンスし易くなっている。
【００４６】
［効果］
以上、実施の形態２によれば、熱交換器ユニットとしては、平面視において筐体１１の左右方向に並列に配置された熱交換器５０における前面部側、左面部側、右面部側および背面部側の側面５７ａ１、５７ａ２、５７ａ４、５７ａ３、５７ｂ１、５７ｂ２、５７ｂ４、５７ｂ３を屈曲して形成する２つの個別熱交換器ユニット５７ａ、５７ｂを有している。
この構成によれば、熱交換器５０は、筐体１１の内部に、筐体１１の前面部側、左面部側、右面部側、背面部側にそれぞれ側面を有して平面視において２つの矩形形状で形成できる。
【００４７】
実施の形態２によれば、２つの個別熱交換器ユニット５７ａ、５７ｂは、筐体１１の左面部と右面部との間の中央における中央線６０に対して線対称な形状である。
この構成によれば、２つの送風ファン３４ａ、３４ｂの空気の吸い込み量が同じになり、熱交換器５０への通風する風量が偏らず、左右のバランスがとれる。
【００４８】
実施の形態２によれば、筐体１１の左面部と右面部との間の中央に、２つの個別熱交換器ユニット５７ａ、５７ｂが冷媒回路の配管と接続される配管接続エリア７２、７３が形成されている。
この構成によれば、熱交換器５０は左右方向の中央部の側面５７ａ４、５７ｂ４でも熱交換器５０への通風する風量が最大限確保できる。熱交換器５０の左右方向の中央部の側面５７ａ４、５７ｂ４の幅が他の側面の幅よりも短いことで、通風されないエリアまで熱交換器５０を余計に設けてしまい性能に寄与しない製品コストが増加することが抑制できる。また、熱交換器５０の左右方向の中央部の側面５７ａ４、５７ｂ４の前方に、配管接続エリア７２、７３が形成でき、メンテナンス性および組立性が向上できる。
【００４９】
実施の形態２によれば、熱交換器ユニット５７ａ、５７ｂの部品点数を２つに削減できるため、生産性が向上する。
【００５０】
以上、実施の形態１〜２について説明したが、本発明は各実施の形態の説明に限定されない。たとえば、各実施の形態の全てまたは一部を組み合わせることも可能である。
【００５１】
なお、上記実施の形態１〜２では、１つの筐体に２つの送風ファンが配置されている構成を説明した。しかし、本発明はこれに限定されない。たとえば、１つの筐体に３つ以上の送風ファンが並列して配置されている構成でもよい。そして、熱交換器は、３つ以上の送風ファンのそれぞれの下方に形成される吸い込み空間の側面を囲み、吸い込み空間を平面視において矩形形状に形成するように吸い込み空間の４面の側面に配置されてもよい。
【符号の説明】
【００５２】
１  室外機、１１  筐体、２１  左前面柱、２２  右前面柱、２３  左後面柱、２４  前面中央柱、２５ａ  前フレーム、２６ａ  左フレーム、２７ａ  下前面パネル、２７ｂ  下前面パネル、２８ａ  下左面パネル、２９ａ  上面パネル、２９ｂ  上面パネル、３２ａ  空気吸込口、３２ｂ  空気吸込口、３３ａ  空気吹出口、３３ｂ  空気吹出口、３４ａ  送風ファン、３４ｂ  送風ファン、３５ａ  吸い込み空間、３５ｂ  吸い込み空間、３６  圧縮機、３７  電気品箱、３８  パイプ、３９ａ  ファン外周軌跡、３９ｂ  ファン外周軌跡、５０  熱交換器、５１  前面熱交換器ユニット、５２ａ  背面熱交換器ユニット、５２ａ１  側面、５２ａ２  側面、５２ａ３  側面、５２ｂ  背面熱交換器ユニット、５２ｂ１  側面、５２ｂ２  側面、５２ｂ３  側面、５３  幅寸法、５４  周囲長寸法、５５  上下寸法、５６  上下寸法、５７ａ  個別熱交換器ユニット、５７ａ１  側面、５７ａ２  側面、５７ａ３  側面、５７ａ４  側面、５７ｂ  個別熱交換器ユニット、５７ｂ１  側面、５７ｂ２  側面、５７ｂ３  側面、５７ｂ４  側面、６０  中央線、６１  中央線、７０  配管接続エリア、７０ａ  配管接続エリア、７０ｂ  配管接続エリア、７１  配管接続エリア、７２  配管接続エリア、７３  配管接続エリア。
【図１】
2017199339.tif 000003
【図２】
2017199339.tif 000004
【図３】
2017199339.tif 000005
【図４】
2017199339.tif 000006
【図５】
2017199339.tif 000007
【図６】
2017199339.tif 000008
【図７】
2017199339.tif 000009
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
前面部と、該前面部の側方の左面部および該左面部に対向する右面部と、前記前面部に対向する背面部と、を有して平面視において矩形形状の筐体と、
前記筐体内部に、前記筐体の前面部側、左面部側、右面部側、背面部側にそれぞれ側面を有して平面視において複数の矩形形状で形成された熱交換器と、
複数の矩形形状の前記熱交換器内に形成された複数の吸い込み空間の上方にそれぞれ配置された複数の送風ファンと、
を備えた空気調和装置の室外機。
【請求項２】
前記熱交換器の下部には、機械部品を格納した格納室が設けられる請求項１に記載の空気調和装置の室外機。
【請求項３】
前記熱交換器は、複数の熱交換器ユニットから構成され、
前記複数の熱交換器ユニットは、平面視において平板形状に形成された１つの熱交換器ユニットと、平面視において２箇所屈曲させたＵ字型に形成された２つの熱交換器ユニットと、を有する請求項１または２に記載の空気調和装置の室外機。
【請求項４】
前記熱交換器は、複数の熱交換器ユニットから構成され、
前記複数の熱交換器ユニットは、同じ容積である請求項１〜３のいずれか１項に記載の空気調和装置の室外機。
【請求項５】
前記熱交換器は、平面視において前記筐体の左右方向に並列に２つ配置され、前記筐体の左右方向の中央部における側面の幅が他の側面の幅よりも短い請求項１〜４のいずれか１項に記載の空気調和装置の室外機。
【請求項６】
前記複数の熱交換器ユニットは、平面視において前記筐体の前記前面部に沿って平板形状に形成された１つの前面熱交換器ユニットと、平面視において前記筐体の左右方向に配置された前記熱交換器における左面部側、右面部側および背面部側の側面を屈曲して形成する２つの背面熱交換器ユニットと、を有する請求項３〜５のいずれか１項に記載の空気調和装置の室外機。
【請求項７】
前記２つの背面熱交換器ユニットは、前記筐体の前記左面部と前記右面部との間の中央における中央線に対して線対称な形状である請求項６に記載の空気調和装置の室外機。
【請求項８】
前記前面熱交換器ユニットは、前記筐体の前面部側において左右方向の一方側に寄せて配置され、
前記筐体の前面部側において左右方向の他方側に、前記前面熱交換器ユニットが冷媒回路の配管と接続される配管接続エリアが形成された請求項６または７に記載の空気調和装置の室外機。
【請求項９】
前記前面熱交換器ユニットの配管接続エリアに隣接した前記筐体の左面部側または右面部側の一方に、前記２つの背面熱交換器ユニットうち一方が冷媒回路の配管と接続される配管接続エリアが形成され、
前記筐体の左右方向の中央部に、前記２つの背面熱交換器ユニットのうち他方が冷媒回路の配管と接続される配管接続エリアが形成された請求項８に記載の空気調和装置の室外機。
【請求項１０】
前記複数の熱交換器ユニットは、平面視において前記筐体の左右方向に並列に配置され、前記熱交換器における前面部側、左面部側、右面部側および背面部側の側面を屈曲して形成する２つの個別熱交換器ユニットを有する請求項４または５に記載の空気調和装置の室外機。
【請求項１１】
前記２つの個別熱交換器ユニットは、前記筐体の前記左面部と前記右面部との間の中央における中央線に対して線対称な形状である請求項１０に記載の空気調和装置の室外機。
【請求項１２】
前記筐体の前記左面部と前記右面部との間の中央に、前記２つの個別熱交換器ユニットが冷媒回路の配管と接続される配管接続エリアが形成された請求項１０または１１に記載の空気調和装置の室外機。
【請求項１３】
前記筐体の少なくとも前記前面部の下部に、機械部品をメンテナンスするメンテナンススペースが形成された請求項１〜１２のいずれか１項に記載の空気調和装置の室外機。
【国際調査報告】
2017199339.tif 000010
2017199339.tif 000011
2017199339.tif 000012
2017199339.tif 000013